(57)【要約】【課題】ヘッド体積が３００ｍｌ以上のウッド型ゴルフクラブヘッドにおいて、高くかつ安定した弾道を実現することが可能となるウッド型ゴルフクラブヘッドおよび該ヘッドを備えたウッド型ゴルフクラブを提供する。【解決手段】ウッド型ゴルフクラブは、ウッド型ゴルフクラブヘッド１と、シャフトおよびグリップとを備える。ウッド型ゴルフクラブヘッド１は、体積が３００ｍｌ以上で、縦慣性モーメントが１８００ｇｃｍ２以上であり、フェース部２、サイド部３、クラウン部４、ソール部５を備える。そして、実効ロフト角を１４度以上１８度以下とする。【選択図】        図１
2004147757.tif 000002
【特許請求の範囲】
【請求項１】
体積が３００ｍｌ以上で、縦慣性モーメントが１８００ｇｃｍ２以上のウッド型ゴルフクラブヘッドにおいて、
実効ロフト角が、１４度以上１８度以下であることを特徴とするウッド型ゴルフクラブヘッド。
【請求項２】
クラブの長さが１１１．７６ｃｍ以上であり、
体積が３００ｍｌ以上で縦慣性モーメントが１８００ｇｃｍ２以上のウッド型ゴルフクラブヘッドを備え、
前記ウッド型ゴルフクラブヘッドの実効ロフト角が、１４度以上１６度以下であることを特徴とするウッド型ゴルフクラブ。
【発明の詳細な説明】
【０００１】
【発明の属する技術分野】
本発明は、ウッド型ゴルフクラブヘッドおよびウッド型ゴルフクラブに関し、特に、ヘッドの実効ロフト角と体積を大きくし、かつクラブの長さを長くすることにより、ヘッドスピードの小さいゴルファーでもより遠くへボールを飛ばすことができるウッド型ゴルフクラブヘッドおよび該ヘッドを備えたウッド型ゴルフクラブに関する。
【０００２】
【従来の技術】
ゴルフクラブにとって飛距離は重要な要素であり、特にウッド型ゴルフクラブでは飛距離を向上させることが要望され、従来から飛距離を向上させるための種々の提案がなされている。
【０００３】
たとえば特開平０８−２４３７６号公報では、フェースセンターの下でボールを打ってもボールを上げて飛距離の減少を抑え、打点位置がバラバラな一般ゴルファーでもボール初速と打出し角とを上げることができるウッド系ゴルフクラブヘッドを提供するために、ヘッド重量１７５〜２２０ｇ、ヘッド体積２００ｍｌ以上、ロフト角５〜１６度のウッド系ゴルフクラブヘッドであって、ヘッドの重心深さＺｇを３５ｍｍ以上とし、ヘッドの重心高さＨｇｒを２０ｍｍ以下としたゴルフクラブヘッドが開示されている。
【０００４】
【特許文献１】
特開平０８−２４３７６号公報
【０００５】
【発明が解決しようとする課題】
上述の特開平０８−２４３７６号公報に記載のゴルフクラブヘッドでは、打点がスイートスポットの下方の場合でも飛距離を出す工夫がなされているが、ヘッド体積が比較的小さい従来のヘッドを対象としている。一般のゴルファーの打点位置は上下よりも左右のぶれ幅の方が大きくなる。
【０００６】
したがって、正当な位置でボールを打撃できる確率であるミート率を確保するには、ヘッド体積が小さいうちはトウ・ヒール方向の寸法を拡大して対応する必要がある。この場合、ヘッドの左右方向の慣性モーメントは増大するが、上下方向の慣性モーメントは増大せず、ゴルフボールのバックスピン量に与える影響は無視できる程度のものとなる。
【０００７】
ところが、ヘッド体積が３００ｍｌを超えると、ヘッド形状のバランスをとるために上下方向にも寸法が拡大されるようになり、ヘッドの縦慣性モーメントが大きくなる。
【０００８】
縦慣性モーメントは、ヘッドをソール−クラウン（上下）方向に回転させるときの回転させ易さを表す指標である。打球位置がスイートスポットから上下に外れると、ヘッドを上下方向に回転させようとする力が働くことになる。このときヘッドの縦慣性モーメントが大きいほどヘッドは回転しにくくなり、バックスピンもかかりにくくなる。この縦慣性モーメントは、フェース中央部の接面が鉛直となるようにつり下げて、ヘッドの回転周期を測定することで求められるものである。
【０００９】
図４に、ヘッド体積、縦慣性モーメントおよびバックスピン量の関係を示す。図４に示すように、たとえばヘッド体積が１５０ｍｌから３００ｍｌ未満では、縦慣性モーメントは、１０００ｇｃｍ２から１７００ｇｃｍ２にまでほぼ直線的に増加しているが、３００ｍｌ以上では急激に増加し、２０００ｇｃｍ２を超えるものも出現している。
【００１０】
このため、ヘッド体積が３００ｍｌ未満では、バックスピンの減少は緩やかであり、少なくとも２０００ｒｐｍ程度はあるが、３００ｍｌ以上では、バックスピンが２０００ｒｐｍを下回り、１０００ｒｐｍ程度のものも出現している。
【００１１】
ゴルフボールの弾道を安定させるには、最低でも１８００〜２４００ｒｐｍ程度のバックスピンが必要であり、１０００ｒｐｍまで下がると、弾道が不安定となり、揚力の不足により飛距離が低下したり、横風の影響を受けやすくなり、打球方向が大きくずれるようになる。
【００１２】
本発明はかかる課題を解決するためになされたものである。本発明の目的は、ヘッド体積が３００ｍｌ以上のウッド型ゴルフクラブヘッドにおいて、高くかつ安定した弾道を実現することが可能となるウッド型ゴルフクラブヘッドおよび該ヘッドを備えたウッド型ゴルフクラブを提供することにある。
【００１３】
【課題を解決するための手段】
本発明に係るウッド型ゴルフクラブヘッドは、体積が３００ｍｌ以上で、縦慣性モーメントが１８００ｇｃｍ２以上であり、実効ロフト角が１４度以上１８度以下であることを特徴とする。
【００１４】
なお、ヘッド体積の上限値は、本願の出願時点のヘッド材料等を考慮すると、４６０ｍｌ程度と考えられるが、４６０ｍｌより大きい体積のヘッドにも本発明は適用可能である。また、縦慣性モーメントの上限値についても、本願の出願時点の技術水準を考慮すると、３０００ｇｃｍ２程度と考えられるが、３０００ｇｃｍ２より大きいヘッドにも本発明は適用可能である。
【００１５】
ところで、ウッド型ゴルフクラブは、打球時のフェースの向きが目標方向と一致するように予め目標方向に対して偏向させている。この偏りをフェース角と呼ぶ。実効ロフト角とは、この偏りをなくしたとき（フェース角を０度にしたとき）にフェース中央部の接線が水平面（地面）となす角度を９０度から引いた値をいう。
【００１６】
本発明に係るウッド型ゴルフクラブは、クラブの長さが１１１．７６ｃｍ（４４インチ）以上であり、体積が３００ｍｌ以上で、縦慣性モーメントが１８００ｇｃｍ２以上のウッド型ゴルフクラブヘッドを備え、該ウッド型ゴルフクラブヘッドの実効ロフト角が１４度以上１６度以下であることを特徴とする。なお、クラブの長さの上限値は、一般のゴルファーにとって現実に適正なスイングが可能となることを考慮すると、１１９．３８ｃｍ（４７インチ）程度であると考えられる。
【００１７】
上記のような体積および縦慣性モーメントを有するヘッドにおいて実効ロフト角を１４度以上１８度以下とすることにより、ボールの飛び出し角度を大きくしながらバックスピン量を増大することができる。
【００１８】
【発明の実施の形態】
以下、本発明の１つの実施の形態におけるウッド型ゴルフクラブヘッドおよびウッド型ゴルフクラブについて説明する。
【００１９】
本実施の形態のウッド型ゴルフクラブは、長さが１１１．７６ｃｍ（４４インチ）以上１１９．３８ｃｍ（４７インチ）以下程度であり、後述するウッド型ゴルフクラブヘッド、シャフトおよびグリップを備える。シャフトおよびグリップとしては周知のものを採用する。
【００２０】
本実施の形態のウッド型ゴルフクラブヘッドは、典型的には金属製であり、フェース部、クラウン部、サイド部およびソール部を有する。ヘッド体積は、３００ｍｌ以上４６０ｍｌ以下程度である。またヘッドの縦慣性モーメントは、１８００ｇｃｍ２以上３０００ｇｃｍ２以下程度である。
【００２１】
本実施の形態のヘッドのような３００ｍｌ以上の体積のヘッドは、大型であるので、スイートスポット位置が高く、特に、ヘッドスピードが４０ｍ／ｓ以下のゴルファーや、ダウンブローに打ち込んでしまうゴルファーにとっては、バックスピンが少なすぎて容易に打球が上がらない。
【００２２】
そこで、３番ウッド（スプーンと呼ばれる）などのロフト角の大きなフェアウェイウッドと呼ばれるゴルフクラブをティーショットで使用する人もいる。このフェアウェイウッドを用いれば打球は高く上がりやすくなるが、クラブの長さが１番ウッド（ドライバーと呼ばれる）よりも短いため、さらにヘッドスピードが落ちてしまう。また、フェアウェイウッドは、縦慣性モーメントが１３００ｇｃｍ２程度と小さいため、単純にサイズを伸ばしてもバックスピンがかかりすぎて飛距離が落ちるという問題を有している。そのため、満足な飛距離を得ることはできない。
【００２３】
そこで、本実施の形態のウッド型ゴルフクラブヘッドでは、フェース面の傾斜角度である実効ロフト角を、１４度以上１８度以下程度と大きくする。好ましくは、実効ロフト角を１５度以上１６度以下とする。
【００２４】
このようにヘッド体積が３００ｍｌ以上で縦慣性モーメントが１８００ｇｃｍ２以上であるヘッドにおいて実効ロフト角を１４度以上１８度以下とすることにより、ボールの飛び出し角度を大きくすることができる。
【００２５】
また、図５に示す傾向より、ロフト角を大きくすることにより、バックスピン量を増大することもできる。したがって、実効ロフト角を上記の範囲とすることにより、バックスピン量を増大することができる。
【００２６】
さらに、ゴルフクラブの長さを１１１．７６ｃｍ（４４インチ）以上とすることにより、ヘッドスピードを確保することができ、打球の初速をも大きくすることができる。その結果、ゴルフボールの弾道を高くかつ安定化することができ、満足な飛距離を得ることができる。
【００２７】
なお、図５のバックスピン量は、ヘッド体積が３５０ｍｌ、縦慣性モーメントが２０００ｇｃｍ２、実効ロフト角が１０．５度、１３度、１５度、２０度のヘッドを用い、スイングロボットで、ヘッドスピード４０ｍ／ｓ、ブロー角０度でスイングさせて測定した。クラブサイズは、１１１．７６ｃｍ（４４インチ）、シャフトフレックスはＳを使用した。
【００２８】
【実施例】
以下、本発明の実施例について図１〜図３を用いて説明する。
【００２９】
図１に、本発明の１つの実施例におけるウッド型ゴルフクラブヘッド１を示す。本実施例におけるウッド型ゴルフクラブは、長さが１１１．７６ｃｍ（４４インチ）である、いわゆるドライバー（１番ウッド）であり、図１に示すゴルフクラブヘッド１と、シャフトおよびグリップとを備える。シャフトおよびグリップとしては周知のものを採用できるので、その図示および説明は省略する。
【００３０】
図１に示すように、本実施例におけるウッド型ゴルフクラブヘッド１は、金属製であり、フェース部２と、サイド部３と、クラウン部４と、ソール部５とを備える。
【００３１】
本実施例におけるウッド型ゴルフクラブヘッド１では、フェース面の実効ロフト角θが１５度、ヘッド体積が３５０ｍｌ、トウ・ヒール方向の慣性モーメントが３５００ｇｃｍ２、縦慣性モーメントが１８００ｇｃｍ２、重心深度が２８ｍｍ、スイートスポット高さが３４ｍｍ、スコアライン幅が０．６ｍｍ、スコアライン深さが０．２ｍｍである。
【００３２】
次に、本願発明者が、本発明の効果を確認すべく試打を行なったので、その結果について図２および図３を用いて説明する。
【００３３】
図２は被験者１〜６が実際に試打した結果を示し、図３はロボット試験の結果である。なお、試打は、ヘッド体積が３５０ｍｌ、縦慣性モーメントが２０００ｇｃｍ２、実効ロフト角が１０．５度、１４度、１６度、２０度のヘッドを用いて行なった。
【００３４】
図２および図３に示すように、実効ロフト角が１４度以上１８度以下程度の範囲で、打球後にゴルフボールが最初に地面に落ちるまでの距離であるキャリーが全体的に増大しているのがわかる。特に、１４度以上１６度以下程度の範囲でキャリーが増大している傾向が図２から見て取れる。
【００３５】
以上のように本発明の実施の形態および実施例について説明を行なったが、今回開示した実施の形態および実施例は全ての点で例示であって制限的なものではないと考えられるべきである。本発明の範囲は特許請求の範囲によって示され、特許請求の範囲と均等の意味および範囲内での全ての変更が含まれる。
【００３６】
【発明の効果】
本発明によれば、ヘッド体積が３００ｍｌ以上の大型で、かつ縦慣性モーメントが１８００ｇｃｍ２以上のヘッドにおいて、実効ロフト角を１４度以上１８度以下とすることにより、ボールの飛び出し角度を大きくしながらバックスピン量をも増大することができ、ゴルフボールの弾道を高くかつ安定化することができる。それにより、初心者や年配者であっても、比較的容易にボールの飛距離を向上することができる。
【図面の簡単な説明】
【図１】本発明の１つの実施例におけるウッド型ゴルフクラブヘッドの側面図である。
【図２】ロフト角の異なるウッド型ゴルフクラブヘッドを用いて行なった被験者による試打結果を示す図である。
【図３】ロフト角の異なるウッド型ゴルフクラブヘッドを用いて行なったロボットによる試打結果を示す図である。
【図４】縦慣性モーメントと、ヘッド体積と、バックスピン量との関係を示す図である。
【図５】バックスピン量とロフト角との関係を示す図である。
【符号の説明】
１  ゴルフクラブヘッド、２  フェース部、３  サイド部、４  クラウン部、５  ソール部。
【図１】
2004147757.tif 000003
【図２】
2004147757.tif 000004
【図３】
2004147757.tif 000005
【図４】
2004147757.tif 000006
【図５】
2004147757.tif 000007